(57)【要約】  複数のワイヤレスデバイス間でレンジングするための装置および方法が提供される。例となる方法は、第１のワイヤレスデバイスにおいて、第１のパケットを備える一次部分シンボルを送信することと、二次部分シンボルを送信することとを含む。二次部分シンボルは、一次部分シンボルよりも低い送信電力で同時に送信され、二次部分シンボルは、第１のパケットと同一である第２のパケットを備える。一次部分シンボルは、実質的に２０ＭＨＺの帯域幅を有する第１のチャネルにおいて送信されることができ、二次部分は、実質的に２０ＭＨＺの帯域幅を有する第２のチャネルにおいて送信されることができる。第１および第２のチャネルは、周波数が実質的に隣接する。一次部分シンボルを送信した後に、たとえば、高スループットロングトレーニングフィールドシンボルまたは超高スループットロングトレーニングフィールドシンボルは、繰り返し送信されることができる。この例となる方法は、到着時間の推定の精度を強化し、復号ボトルネッキングを最小化し、およびワイヤレスデバイスのレンジを最大化する。
2018507599.tif 000002
【特許請求の範囲】
【請求項１】
複数のワイヤレスデバイス間でレンジングするための方法であって、前記複数のワイヤレスデバイスにおける第１のワイヤレスデバイスで、
第１のパケットを備える一次部分シンボルを送信することと、
二次部分シンボルを送信すること、ここにおいて、前記二次部分シンボルは、前記一次部分シンボルよりも低い送信電力で同時に送信され、前記二次部分シンボルは、前記第１のパケットの複製である第２のパケットを備える、と、
を備える、方法。
【請求項２】
前記第１のワイヤレスデバイスで、
実質的に２０ＭＨＺの帯域幅を有する第１のチャネルにおいて前記一次部分シンボルを送信することと、
実質的に２０ＭＨＺの帯域幅を有する第２のチャネルにおいて前記二次部分シンボルを送信すること、ここにおいて、前記第２のチャネルは、前記第１のチャネルに周波数が実質的に隣接する、と、
をさらに備える、請求項１に記載の方法。
【請求項３】
前記一次部分シンボルを送信する際に使用されるより高い送信電力と前記二次部分シンボルを送信する際に使用される前記より低い送信電力との間の電力比は、
固定的、または
前記複数のワイヤレスデバイスにおける第２のワイヤレスデバイスへの推定された送信距離、
前記第２のワイヤレスデバイスへの既知の送信距離、
前記第２のワイヤレスデバイスから受信された信号の測定された電力、または
それらの何らかの組み合わせ、
に少なくとも部分的に基づいて
適応的である、請求項１に記載の方法。
【請求項４】
前記第１のワイヤレスデバイスで、前記一次部分シンボルを送信する際に使用される前記より高い送信電力と前記二次部分シンボルを送信する際に使用される前記より低い送信電力との間の電力比を維持しながら、高スループットロングトレーニングフィールドシンボルまたは超高スループットロングトレーニングフィールドシンボルを繰り返し送信することをさらに備える、請求項１に記載の方法。
【請求項５】
前記高スループットロングトレーニングフィールドシンボルまたは前記超高スループットロングトレーニングフィールドシンボルの繰り返しの数は、
前記電力比、
前記より高い送信電力と前記より低い送信電力とが組み合わされた電力、または
それらの組み合わせ、
に少なくとも部分的に基づく、請求項４に記載の方法。
【請求項６】
前記第１のワイヤレスデバイスで、
前記繰り返された高スループットロングトレーニングフィールドシンボルまたは前記繰り返された超高スループットロングトレーニングフィールドシンボルの繰り返し係数、
前記一次部分シンボルを送信する際に使用されるより高い送信電力と前記二次部分シンボルを送信する際に使用される前記より低い送信電力との間の前記電力比、または
両方、
を示す制御情報を送信すること
をさらに備える、請求項４に記載の方法。
【請求項７】
複数のワイヤレスデバイス間でレンジングする際に使用するための装置であって、
第１のパケットを備える一次部分シンボルを送信するための手段と、
二次部分シンボルを送信するための手段、ここにおいて、前記二次部分シンボルは、前記一次部分シンボルよりも低い送信電力で同時に送信され、前記二次部分シンボルは、前記第１のパケットの複製である第２のパケットを備える、と、
を備える、装置。
【請求項８】
実質的に２０ＭＨＺの帯域幅を有する第１のチャネルにおいて前記一次部分シンボルを送信するための手段と、
実質的に２０ＭＨＺの帯域幅を有する第２のチャネルにおいて前記二次部分シンボルを送信するための手段、ここにおいて、前記第２のチャネルは、前記第１のチャネルに周波数が実質的に隣接する、と、
をさらに備える、請求項７に記載の装置。
【請求項９】
前記一次部分シンボルを送信する際に使用されるより高い送信電力と前記二次部分シンボルを送信する際に使用される前記より低い送信電力との間の電力比は、
固定的、または
第２のワイヤレスデバイスへの推定された送信距離、
前記第２のワイヤレスデバイスへの既知の送信距離、
前記第２のワイヤレスデバイスから受信された信号の測定された電力、または
それらの何らかの組み合わせ、
に少なくとも部分的に基づいて
適応的である、請求項７に記載の装置。
【請求項１０】
前記一次部分シンボルを送信する際に使用されるより高い送信電力と前記二次部分シンボルを送信する際に使用される前記より低い送信電力との間の電力比を維持しながら、高スループットロングトレーニングフィールドシンボルまたは超高スループットロングトレーニングフィールドシンボルを繰り返し送信するための手段、をさらに備える、請求項７に記載の装置。
【請求項１１】
前記高スループットロングトレーニングフィールドシンボルまたは前記超高スループットロングトレーニングフィールドシンボルの繰り返しの数は、
前記電力比、
前記より高い送信電力と前記より低い送信電力とが組み合わされた電力、または
それらの組み合わせ、
に少なくとも部分的に基づく、請求項１０に記載の装置。
【請求項１２】
前記繰り返された高スループットロングトレーニングフィールドシンボルまたは前記繰り返された超高スループットロングトレーニングフィールドシンボルの繰り返し係数、
前記より高い送信電力と前記より低い送信電力との間の前記電力比、または
両方、
を示す制御情報を送信するための手段
をさらに備える、請求項１０に記載の装置。
【請求項１３】
前記一次部分シンボルを前記送信するための手段の少なくとも一部分は、半導体のダイ上に統合される、請求項７に記載の装置。
【請求項１４】
前記装置は、モバイルデバイスの少なくとも一部分である、請求項７に記載の装置。
【請求項１５】
複数のワイヤレスデバイス間でのレンジングの精度を改善するように構成された装置であって、
通信デバイスと、
前記通信デバイスに結合され、
第１のパケットを搬送する一次部分シンボルの、前記通信デバイスを介した送信を開始することと、
二次部分シンボルの、前記通信デバイスを介した送信を開始すること、ここにおいて、前記二次部分シンボルは、前記一次部分シンボルよりも低い送信電力で同時に送信され、前記二次部分シンボルは、前記第１のパケットの複製である第２のパケットを備える、と、
を行うように構成されたプロセッサと、
を備える、装置。
【請求項１６】
前記プロセッサは、
実質的に２０ＭＨＺの帯域幅を有する第１のチャネルにおいて前記一次部分シンボルの、前記通信デバイスを介した送信を開始することと、
実質的に２０ＭＨＺの帯域幅を有する第２のチャネルにおいて前記二次部分シンボルの、前記通信デバイスを介した送信を開始すること、ここにおいて、前記第２のチャネルは、前記第１のチャネルに周波数が実質的に隣接する、と、
を行うようにさらに構成される、請求項１５に記載の装置。
【請求項１７】
前記一次部分シンボルを送信する際に使用されるより高い送信電力と前記より低い送信電力との間の電力比は、
固定的、または
第２のワイヤレスデバイスへの推定された送信距離、
前記第２のワイヤレスデバイスへの既知の送信距離、
前記第２のワイヤレスデバイスから受信された信号の測定された電力、または
それらの何らかの組み合わせ、
に少なくとも部分的に基づいて
適応的である、請求項１５に記載の装置。
【請求項１８】
前記プロセッサは、前記一次部分シンボルを送信する際に使用されるより高い送信電力と前記二次部分シンボルを送信する際に使用される前記より低い送信電力との間の電力比を維持しながら、高スループットロングトレーニングフィールドシンボルまたは超高スループットロングトレーニングフィールドシンボルの繰り返しの、前記通信デバイスを介した送信を開始するようにさらに構成される、請求項１５に記載の装置。
【請求項１９】
前記高スループットロングトレーニングフィールドシンボルまたは前記超高スループットロングトレーニングフィールドシンボルの繰り返しの数は、
前記電力比、
前記より高い送信電力と前記より低い送信電力とが組み合わされた電力、または
それらの組み合わせ、
のうちの少なくとも１つに基づく、請求項１８に記載の装置。
【請求項２０】
前記プロセッサは、
前記繰り返された高スループットロングトレーニングフィールドシンボルまたは前記繰り返された超高スループットロングトレーニングフィールドシンボルの繰り返し係数、
前記より高い送信電力と前記より低い送信電力との間の前記電力比、または
両方、
を示す制御情報の、前記通信デバイスを介した送信を開始すること
を行うようにさらに構成される、請求項１８に記載の装置。
【請求項２１】
前記プロセッサのうちの少なくとも一部分および前記通信デバイスのうちの少なくとも一部分は、共通の半導体のダイ上で統合される、請求項１５に記載の装置。
【請求項２２】
前記装置は、モバイルデバイスの少なくとも一部分である、請求項１５に記載の装置。
【請求項２３】
複数のワイヤレスデバイス間でのレンジングの精度を改善するための製品であって、前記製品は、
第１のパケットを搬送する一次部分シンボルの送信を開始することと、
二次部分シンボルの送信を開始すること、ここにおいて、前記二次部分シンボルは、前記一次部分シンボルよりも低い送信電力で同時に送信され、前記二次部分シンボルは、前記第１のパケットの複製である第２のパケットを備える、と、
を、プロセッサによって実行可能な、プロセッサ実行可能命令を記憶する非一時的コンピュータ読み取り可能媒体、
を備える、製品。
【請求項２４】
前記プロセッサ実行可能命令は、
実質的に２０ＭＨＺの帯域幅を有する第１のチャネルにおいて前記一次部分シンボルの送信を開始することと、
実質的に２０ＭＨＺの帯域幅を有する第２のチャネルにおいて前記二次部分シンボルの送信を開始すること、ここにおいて、前記第２のチャネルは、前記第１のチャネルに周波数が実質的に隣接する、と、
を前記プロセッサによって、さらに実行可能である、請求項２３に記載の製品。
【請求項２５】
前記一次部分シンボルを送信する際に使用されるより高い送信電力と前記より低い送信電力との間の電力比は、
固定的、または
第２のワイヤレスデバイスへの推定された送信距離、
前記第２のワイヤレスデバイスへの既知の送信距離、
前記第２のワイヤレスデバイスから受信された信号の測定された電力、または
それらの何らかの組み合わせ、
に部分的に基づいて
適応的である、請求項２３に記載の製品。
【請求項２６】
前記プロセッサ実行可能命令は、前記一次部分シンボルを送信する際に使用されるより高い送信電力と前記二次部分シンボルを送信する際に使用される前記より低い送信電力との間の電力比を維持しながら、高スループットロングトレーニングフィールドシンボルまたは超高スループットロングトレーニングフィールドシンボルを繰り返し送信することを開始すること、を前記プロセッサによって、さらに実行可能である、請求項２３に記載の製品。
【請求項２７】
前記高スループットロングトレーニングフィールドシンボルまたは前記超高スループットロングトレーニングフィールドシンボルの繰り返しの数は、
前記電力比、
前記より高い送信電力と前記より低い送信電力とが組み合わされた電力、または
それらの組み合わせ、
のうちの少なくとも１つに基づく、請求項２６に記載の製品。
【請求項２８】
前記プロセッサ実行可能命令は、
前記繰り返された高スループットロングトレーニングフィールドシンボルまたは前記繰り返された超高スループットロングトレーニングフィールドシンボルの繰り返し係数、
前記より高い送信電力と前記より低い送信電力との間の前記電力比、または
両方、
を示す制御情報の送信を開始すること
を、前記プロセッサによって、さらに実行可能である、請求項２６に記載の製品。
【発明の詳細な説明】
【序論】
【０００１】
[0001]  この開示は、一般に、エレクトロニクス、より具体的には、それらに限らないが、ワイヤレス信号の推定された到着時間を決定する、および／またはさもなければ活用する製造業者の方法、装置、および製品（articles）に関する。
【０００２】
[0002]  ワイヤレス通信システムは、ボイス、データおよび同類のもののような、様々なタイプの通信コンテンツを提供するために広く展開されている。典型的なワイヤレス通信システムは、利用可能なシステムリソース（たとえば、帯域幅、送信電力等）を共有することによって複数のユーザとの通信をサポートすることができる（capable of）多元接続システムである。そのような多元接続システムの一クラスは、一般に、「ＷｉＦｉ」と呼ばれ、電気電子技術者協会（ＩＥＥＥ）８０２．１１のワイヤレスプロトコルファミリの異なる複数のメンバーを含む。一般に、ＷｉＦｉ通信システムは、複数のワイヤレス局（複数のモバイルデバイス）間の通信を同時にサポートできる。各モバイルデバイスは、ダウンリンクおよびアップリンク上の送信を介して、１つまたは複数のアクセスポイント（ＡＰ）と通信する。ダウンリンク（ＤＬ）は、ＡＰからモバイル局への通信リンクを指し、アップリンク（ＵＬ）は、モバイル局からＡＰへの通信リンクを指す。
【０００３】
[0003]  ワイヤレス通信デバイス（たとえば、モバイルデバイス）は、ワイヤレス通信デバイス（たとえば、ＡＰ）と既知の位置を有する基準ワイヤレス通信デバイスとの間の距離（すなわち、レンジ（a range））を決定するためのさまざまなレンジ推定（すなわち、電波探知（radiolocation））の技法のいずれかを使用することができる。従来型のレンジングの複数の技法は、（ＲＴＴ）ベースでの位置決め（positioning）および到着時間（ＴｏＡ：time of arrival）での位置決めを含む。レンジ推定は、少数の例を挙げると、屋内の位置およびピアツーピア（Ｐ２Ｐ）レンジング（an indoor position and peer-to-peer (P2P) ranging）を決定するために使用されることができる。
【０００４】
[0004]  従って、提供された改善された方法および改善された装置を含む、従来型の方法および装置を改善する方法および装置への、長年にわたる産業界の要求（needs）がある。
【発明の概要】
【０００５】
[0005]  この概要は、本教示のいくつかの態様の基礎的な理解を提供する。この概要は、詳細において、徹底的でなく、全ての決定的な特徴を特定したり、特許請求の範囲を限定することを意図するものではない。
【０００６】
[0006]  複数のワイヤレスデバイス間でレンジングするための例となる複数の方法および複数の装置が提供される。例となる方法は、第１のパケットを備える一次部分シンボルを送信することと、二次部分シンボルを送信することとを含む。二次部分シンボルは、一次部分シンボルよりも低い送信電力で同時に送信され、二次部分シンボルは、第１のパケットの複製（a duplicate）である第２のパケットを備える。
【０００７】
[0007]  さらなる例において、特殊用途プロセッサ（たとえば、特定用途向け集積回路回路（ＡＳＩＣ））のような、プロセッサによって実行される場合、プロセッサに、前述の方法の少なくとも一部分を実行させる命令を記憶する非一時的コンピュータ読み取り可能媒体が提供される。
【０００８】
[0008]  別の例において、複数のワイヤレスデバイス間でのレンジングの精度を改善するように構成された装置が提供される。装置は、二次部分シンボルを送信するための手段だけではなく、第１のパケットを備える一次部分シンボルを送信するための手段も含む。二次部分シンボルは、一次部分シンボルよりも低い送信電力で同時に送信され、二次部分シンボルは、第１のパケットの複製である第２のパケットを備える。一次部分シンボルを送信するための手段の少なくとも一部分は、半導体のダイ上に統合されることができる。
【０００９】
[0009]  別の例において、複数のワイヤレスデバイス間でのレンジングの精度を改善するように構成された装置が提供される。装置は、通信デバイスおよび通信デバイスに結合されたプロセッサを含む。プロセッサは、二次部分シンボルの、通信デバイスを介した送信を開始するように構成されるだけではなく、第１のパケットを搬送する一次部分シンボルの、通信デバイスを介した送信を開始するように構成される。二次部分シンボルは、一次部分シンボルよりも低い送信電力で同時に送信され、二次部分シンボルは、第１のパケットの複製である第２のパケットを備える。プロセッサのうちの少なくとも一部分および通信デバイスのうちの少なくとも一部分は、共通の半導体のダイ上で統合されることができる。
【００１０】
[0010]  前述のことは、詳細な説明および図面がよりよく理解されることができるように本開示の特徴および技術的利点のうちのいくつかを広く概要を説明する（outlines）。追加的な特徴および利点はまた、詳細な説明において説明される。その概念および開示される例は、本教示の同じ目的を実行するための他の構造を修正または設計するための基礎として容易に利用されることができる。そのような等価な構造（construction）は、特許請求の範囲において明記される教示の技術から逸脱しない。本教示の特徴的である発明の特徴は、さらなる目的および利点と一緒に、詳細な説明および添付の図面からよりよく理解される。複数の図の各々は、例示および説明のみの目的で提供され、本教示を制限しない。
【図面の簡単な説明】
【００１１】
[0011]  添付の図面は、本開示の様々な態様の説明において助けとなるように提示され、それら態様の限定ではなく、ただ例示のために提供される。
【図１】[0012]  図１は、ある特定の例となる複数のインプリメンテーションに従って、ワイヤレスプロトコルを用いる例となるワイヤレスネットワークを描く。
【図２】[0013]  図２は、ある特定の例となる複数のインプリメンテーションに従って、時間上における（over time）２つの隣接した２０ＭＨＺチャネルにわたるデータの例となるマッピングを描く。
【図３Ａ】[0014]  図３Ａは、ある特定の例となる複数のインプリメンテーションに従って、複数のワイヤレスデバイス間でのレンジングの精度を改善する例となる方法を描く例となるフロー図を描く。
【図３Ｂ】図３Ｂは、ある特定の例となる複数のインプリメンテーションに従って、複数のワイヤレスデバイス間でのレンジングの精度を改善する例となる方法を描く例となるフロー図を描く。
【図４】[0015]  図４は、ある特定の例となる複数のインプリメンテーションに従って、本明細書において提供される様々な技法を提供するか、またはさもなければサポートするために用いられることができる、例となる複数のコンポーネントの例となる簡略化されたブロック図を描く。
【図５】[0016]  図５は、ある特定の例となる複数のインプリメンテーションに従って、本明細書において提供される様々な技法を提供するか、またはさもなければサポートするように構成される、例となる複数の装置の例となる簡略化されたブロック図を描く。
【図６】図６は、ある特定の例となる複数のインプリメンテーションに従って、本明細書において提供される様々な技法を提供するか、またはさもなければサポートするように構成される、例となる複数の装置の例となる簡略化されたブロック図を描く。
【００１２】
[0017]  共通の慣行に従って、図面によって描かれた複数の特徴は、スケーリングするために描画されていない可能性がある。従って、描かれた特徴の寸法は、明確さのために任意に拡大または縮小され得る。共通の慣行に従って、図面のいくつかは明確さのために簡略化される。よって、図面は、特定の装置または方法の全てのコンポーネントを描かない可能性がある。さらに、本明細書および複数の図の全体を通して、同じ参照番号は、同じ特徴を示す。
【詳細な説明】
【００１３】
[0018]  本明細書において開示される例となる装置および／または例となる方法のうちの少なくとも１つは、有利に、他の前もって確認されていない要求だけでなく、それら長年にわたる産業界の要求に対処し、従来型の方法および従来型の装置の欠点を軽減する（mitigate）。たとえば、本明細書において開示される装置のうちの少なくとも１つの例、および／または方法のうちの少なくとも１つの例によって提供される利点は、従来型のデバイスにわたるワイドバンドレンジングの精度（wideband ranging accuracy）の改善である。本明細書において開示される装置のうちの少なくとも１つの例、および／または方法のうちの少なくとも１つの例によって提供される別の利点は、最大の通信レンジに最小限のインパクト（impact）があることである。さらに、本明細書において開示される装置のうちの少なくとも１つの例、および／または方法のうちの少なくとも１つの例によって提供される利点は、その例が存在するワイヤレスハードウェアへの最小限の変更でインプリメントされることができることである。
【００１４】
[0019]  本開示のより特定の複数の態様は、例示の複数の目的のために提供される様々な例に向けられる次の記述および関連する図面において提供される。代替的な複数の態様は、本開示の範囲から逸脱することなく考案されることができる。追加的に、本開示の周知の複数の態様は、より関連する詳細を曖昧にすることがないように、詳細に説明されないか、または省略される可能性がある。
【００１５】
[0020]  本明細書において説明される情報および信号は、さまざまな異なる複数の技術および技法のいくつかを使用して表されることができる。たとえば、本明細書において言及されるデータ、命令、コマンド、情報、信号、ビット、シンボル、およびチップは、特定の用途に部分的に、所望の設計に部分的に、対応する技術に、および同類のものに、部分的に依存して、電圧、電流、電磁派、磁場または磁気粒子、光場または光学粒子、またはそれらの任意の実際的な組み合わせによって表されることができる。
【００１６】
[0021]  さらに、いくつかの例は、たとえば、コンピューティングデバイスの要素によって行われることになる一連のアクションという観点から説明される。本明細書において説明される複数のアクションは、特定の回路（たとえば、特定用途向け集積回路（ＡＳＩＣ））によって、１つまたは複数のプロセッサ（たとえば、より多くの特殊用途プロセッサのうちの１つ）によって実行されるプログラム命令、またはそれらの組み合わせによって、行われることができる。さらに、本明細書において説明される複数の例のうちいずれに関しても、いずれのそのような例の対応する形態は、たとえば、説明されるアクションを行う「ように構成された論理」としてインプリメントされることができる。
［略語］
【００１７】
[0022]  下記の略語および頭字語のリストは、現在の開示を把握すること（comprehending）を支援するように提供され、限定としては提供されない。
ＤＬ  −  ダウンリンク。
ＨＴ  −  高スループット。ＷＬＡＮ  ＯＦＤＭシステムにおいて２つの隣接したチャネルを使用することができる物理層コンバージェンスプロトコル（ＰＬＣＰ：Physical Layer Convergence Protocol）のフォーマット。それら隣接したチャネルの各々は、実質的に、２０ＭＨＺの帯域幅を有することができる。異なるデータは、それら構成要素である（constituent）チャネルの各々上で送信されることができる。
ＨＴ−ＬＴＦ  −  高スループットロングトレーニングフィールド（High throughput long training field）。受信機がチャネルの特性（characteristics）を決定するための情報を搬送することができる。
ＨＴ−ＳＩＧ  −  高スループット信号フィールド（High throughput signal field）。２つの部分（ＨＴ−ＳＩＧ１およびＨＴ−ＳＩＧ２）を含み、それらの各々は、ＨＴパケットを解釈するために使用されることができる２４ビットの情報を含む。
ＩＥＥＥ  −  電気電子技術者協会。コンピューティングおよびエレクトロニクスの標準を発展させることへの責任を負う標準化団体。ＩＥＥＥは、ＷＬＡＮ（ワイヤレスローカルエリアネットワーク）に関する８０２．１１の標準グループを発展させた。
Ｌ−ＬＴＦ  −  レガシーロングトレーニングフィールド（Legacy long training field）。２つのＯＦＤＭシンボルの長さであることができる。
Ｌ−ＳＴＦ  −  レガシーショートトレーニングフィールド（Legacy short training field）。２つのＯＦＤＭシンボルの長さであることができる。
ＬＡＮ  −  ローカルエリアネットワーク。
ＭＨｚ  −  メガヘルツ。毎秒百万ヘルツまたはサイクル。
ＯＦＤＭ  −  直交周波数分割多重方式（Orthogonal Frequency Division Multiplexing）。利用可能なスペクトルを複数の無線周波数（ＲＦ）チャネルに分割するワイヤレス通信技術および変調技法。ＯＦＤＭでは、単一の送信機は、多くの異なる、独立した複数の周波数上で送信し、それは、典型的に、干渉への高い耐性を有する信号をもたらす。
ＰＬＣＰ  −  物理層コンバージェンスプロトコル。
ＲＴＴ  −  ラウンドトリップタイム（Round Trip Time）。
ＴｏＡ−到着時間。レンジの決定を計算するときに、入力として使用されることができる。
ＵＥ  −  ユーザ機器。
ＵＬ  −  アップリンク。
ＶＨＴ  −  （たとえば、ＩＥＥＥ８０２．１１ａｃ標準に対応した）超高スループット（Very High Throughput）。
ＷｉＦｉ  −  「Ｗｉｒｅｌｅｓｓ  Ｆｉｄｅｌｉｔｙ」の省略。ＷＬＡＮ（ワイヤレスローカルエリアネットワーク）の一タイプ。ＷｉＦｉは、モバイルデバイスユーザに、ワイヤレス接続を通じてローカルエリアネットワーク（ＬＡＮ）にモバイルデバイスを結合することを可能にさせる。ＷｉＦｉデバイスは、少なくとも１つのＩＥＥＥ８０２．１１標準に適合することができる。
ＷＬＡＮ  −  ワイヤレスローカルエリアネットワーク。モバイルユーザが、ワイヤレス接続を通じてローカルエリアネットワーク（ＬＡＮ）にワイヤレスデバイスを接続することを可能にする。
【００１８】
[0023]  図１は、例となるワイヤレスネットワーク１００を描く。示されるように、ワイヤレスネットワーク１００は、それはまた、本明細書において、ベーシックサービスセット（ＢＳＳ：Basic Service Set）として言及されることができるが、アクセスポイント（ＡＰ）１１０および複数のモバイルデバイス（複数の加入者局）１２０を含む様々なワイヤレスノードから形成される。各ワイヤレスノードは、一般に、受信することおよび／または送信することができる。ワイヤレスネットワーク１００は、モバイルデバイス１２０にカバレッジを提供するために、地理的領域全体に分散された任意の数のＡＰ１１０をサポートできる。簡潔さのため、バックホール接続１３０を介した他の複数のＡＰまたは他の複数のネットワーク（たとえば、インターネット）へのアクセスだけでなく、複数のモバイルデバイス１２０間の調整および制御を提供する、１つのＡＰ１１０が図１において示される。
【００１９】
[0024]  ＡＰ１１０は、一般に、ＡＰ１１０のカバレッジの地理的領域において複数のモバイルデバイス１２０に複数のバックホールサービスを提供する固定化されたエンティティである。しかしながら、ＡＰ１１０は、いくつかのアプリケーションにおいて、モバイルであることができる（たとえば、他のデバイスに関するワイヤレスホットスポットとしての役目を果たす（serving）モバイルデバイス）。モバイルデバイス１２０は、固定的であるか、またはモバイルであることができる。モバイルデバイス１２０の複数の例は、電話（たとえば、セルラ電話）、ラップトップコンピュータ、デスクトップコンピュータ、携帯情報端末、デジタルオーディオプレーヤ（たとえば、ＭＰ３プレーヤ）、カメラ、ゲームコンソール、ディスプレイデバイス、テレビジョン、タブレット、セットトップボックス、デジタルビデオディスク（ＤＶＤ）プレーヤ、ＷｉＦｉ準拠のデバイス、および／または任意の他の適したワイヤレスノードを含む。ワイヤレスネットワーク１００は、ワイヤレスローカルエリアネットワーク（ＷＬＡＮ）と呼ばれることができ、かつ近隣のデバイスと相互接続するためにさまざまな広く使用されるネットワーキングプロトコルを用いることができる。一般に、これらのネットワーキングプロトコルは、「ＷｉＦｉ」と呼ばれることができ、電気電子技術者協会（ＩＥＥＥ）８０２．１１のワイヤレスプロトコルファミリの任意のメンバーを含む。
【００２０】
[0025]  下記でより詳細に説明されるように、これらの異なるエンティティは、本明細書における教示に従って、上記で簡潔に説明されたワイドバンドの到着時間の推定を提供するために、またはさもなければサポートするために、様々に構成されることができる。たとえば、ＡＰ１１０は、複数のモバイルデバイス１２０のうちの１つまたは複数のそれぞれの位置を決定するための対応する機能性および位置計算管理モジュール１１２を含むことができ、一方で、モバイルデバイス１２０の１つまたは複数は、複数のモバイルデバイス１２０のうちの１つまたは複数のそれぞれの位置を決定するための対応する機能性および位置計算管理モジュール１２２を含むことができる。
【００２１】
[0026]  位置計算管理モジュール１１２および位置計算管理モジュール１２２は、それぞれのモバイルデバイス１２０とＡＰ１１０との間の通信経過時間（a communication transit time）を決定するように構成されることができる。一例において、それぞれのモバイルデバイス１２０は、ＡＰ１１０に１つまたは複数のメッセージを送信することができ、ＡＰ１１０から対応する応答メッセージを受信することができる。位置計算管理モジュール１１２および位置計算管理モジュール１２２は、メッセージが送信されおよび受信された瞬間の時間（a time instant）を記録する（record）ことができる。位置計算管理モジュール１１２および位置計算管理モジュール１２２は、次いで、モバイルデバイス１２０とＡＰ１１０との間の通信経過時間を計算することができる。他の適した技法は、モバイルデバイス１２０とＡＰ１１０との間の通信経過時間を決定するために用いられることができる。位置計算管理モジュール１１２および位置計算管理モジュール１２２は、レンジ推定、二次元座標、三次元座標、緯度および経度、デカルト座標、球座標、測地座標、および／またはそれぞれのモバイルデバイス１２０とＡＰ１１０とに関連付けられた他の適した位置インジケータを決定することができる。
【００２２】
[0027]  レンジ推定の精度は、重要であり、およびより高い帯域幅の送信を使用するとき、改善する。より高い帯域幅の送信は、クロースバイタップ（close-by taps）を解消する（resolve）能力を改善する。それ故、より高い帯域幅のワイヤレス（たとえば、ＷｉＦｉ）パケット（たとえば、４０ＭＨｚ、８０ＭＨｚ、１６０ＭＨｚおよび同類のもの）は、よりよい精度を生み出す（yield）。しかしながら、ワイヤレスシステムにおいて、より高い帯域幅のワイヤレスパケットを送信することは、２つのワイヤレスデバイスが通信することができ、かつそれら２つのワイヤレスデバイス間のレンジを成功裏に推定することができる、２つのワイヤレスデバイス間の最大の距離を減らす可能性がある。レンジの減少は、ワイヤレス受信機の、より高い帯域幅のパケットを復号する能力におけるボトルネックによって引き起こされる。表１は、典型的なパラメータを使用する、異なる複数のワイヤレスパケットの帯域幅に関する現在のレンジの例となる推定を提供する。
【表１】
2018507599.tif 000003
【００２３】
[0028]  図２は、時間上における２つの実質的に周波数が隣接する（frequency-adjacent）チャネルにわたるデータのマッピング２００を描く。それらチャネルの各々は、実質的に２０ＭＨＺの帯域幅を有することができる。それらのチャネルのうちの各々は、本明細書において、代替的に、「２０ＭＨＺチャネル」と呼ばれ得る。図２を参照すると、一例において、（代替的には、ワイヤレス超高スループット（ＶＨＴ）パケットのフォーマットであることが可能である）ワイヤレス高スループット（ＨＴ）パケットのフォーマットは、一次２０ＭＨｚチャネル２０５および二次２０ＭＨｚチャネル２１０を有し、それらのうちの各々は、２つの実質的に周波数が隣接する２０ＭＨＺチャネルのうちの１つである。レガシー標準の互換性に関して、パケットの冒頭部分２１５は、実質的に、同時に、一次２０ＭＨｚチャネル２０５および二次２０ＭＨｚチャネル２１０の両方において、繰り返されることができる。パケットの冒頭部分２１５は、Ｌ−ＳＴＦ情報、Ｌ−ＬＴＦ情報、Ｌ−ＳＩＧ情報、ＨＴ−ＳＩＧ情報または、それらの組み合わせのうちの少なくとも１つを含むことができる。従来型の２０ＭＨｚ幅のパケットと比較されるとき、最大レンジにおける、結果として得られる最小限の減少を有する（with）改善されたワイドバンドレンジングの精度を提供するために、このパケットのフォーマットを活用する（take advantage of）ことは、可能である。
【００２４】
[0029]  一例において、次の技法は、最大レンジの最小限の減少でワイドバンドレンジングの精度を改善する。モバイルデバイス１２０および／またはＡＰ１１０は、送信電力（Ｐ）のより高い割合（fraction）（α）を使用しながら、一次２０ＭＨｚチャネル２０５を介して、ＨＴパケットのフォーマットまたはＶＨＴパケットのフォーマットで、パケットを送信する。モバイルデバイス１２０および／またはＡＰ１１０は、（たとえば、二次２０ＭＨｚチャネル２１０を介して送信するために）組み合わされた４０ＭＨｚの帯域幅の残りにおいて、送信電力（（１−α）Ｐ）の残りを使用する。このように、電力比（すなわち、電力の分割）は、一次２０ＭＨｚチャネル２０５と二次２０ＭＨｚチャネル２１０との間に存在する。電力比は、α／（１−α）に等しい。
【００２５】
[0030]  電力比は、固定的であることができるか、または、適応的に管理されることができる。一例において、適応的な電力比は、モバイルデバイス１２０とＡＰ１１０との間の既知のまたは推定された送信距離に基づくことができる。たとえば、送信距離が増加するにつれて、電力比は、増加するように能動的に制御される。逆に、送信距離が減少するにつれて、電力比は、減少するように能動的に制御される。
【００２６】
[0031]  別の例において、電力比は、モバイルデバイス１２０および／またはＡＰ１１０によって測定される、受けた電力（received power）に基づいて、適応的に管理されることができる。たとえば、受けた電力が増加するにつれて、電力比は、減少するように能動的に制御される。逆に、受けた電力が減少するにつれて、電力比は、増加するように能動的に制御される。さらに、より高い送信電力とより低い送信電力との間の電力比を記述する制御情報は、モバイルデバイス１２０および／またはＡＰ１１０の間に送信されることができる。
【００２７】
[0032]  一次２０ＭＨｚチャネル２０５において送信電力のより高い割合を使用すること（すなわち、より高い送信電力比を使用すること）は、２０ＭＨｚのチャネル帯域幅を使用することの利点を活用することによって、ＴｏＡの計算の精度を改善する。これらの利益は、復号ボトルネックを緩和することおよび最大のワイヤレス通信のレンジを改善することを含むことができる。
【００２８】
[0033]  ＴｏＡの計算の精度を改善するための別の技法は、一次２０ＭＨｚチャネル２０５において、ＤＡＴＡシンボル２２５におけるＨＴ−ＬＴＦシンボル２２０またはＶＨＴ−ＬＴＦシンボルを繰り返す。一次２０ＭＨｚチャネル２０５において、ＤＡＴＡシンボル２２５におけるＨＴ−ＬＴＦシンボル２２０またはＶＨＴ−ＬＴＦシンボルを繰り返すことはまた、二次２０ＭＨｚチャネル２１０において、より低い送信電力（たとえば、高い電力比）を使用することの効果を補償することができる。モバイルデバイス１２０および／またはＡＰ１１０は、この技法を行うことができる。繰り返しの数は、（１）より高い送信電力とより低い送信電力との間の電力比、（２）合計電力（たとえば、より高い送信電力とより低い送信電力との総和）、または（３）（１）と（２）との組み合わせに基づくことができる。随意に、繰り返されたシンボルの繰り返し係数（repetition factor）を記述する制御情報および／または電力比は、モバイルデバイス１２０および／またＡＰ１１０の間に送信されることができる。
【００２９】
[0034]  一例において、モバイルデバイス１２０および／またはＡＰ１１０は、８０％の送信電力（すなわち、α＝０．８）を使用して、一次２０ＭＨｚチャネル２０５を介して、シンボルを送信することができる。これらの条件の下で、最大レンジのいずれの減少も、（たとえば、１６０ＭＨｚの帯域幅を有するチャネルを使用するときの９ｄＢの損失と比較して、〜１ｄＢの損失である）最小限のインパクトを有する。帯域幅の残りにおいて低い送信電力を使用することは、ＨＴ−ＬＴＦシンボル２２０を繰り返すことによって、補償され得る。この例において、α＝０．８のとき、わずか（no more than）５つの繰り返しが、同じかまたはよりよいＴｏＡの精度を生み出すために必要とされる。この電力のフォーマットは、従来型の技法と比較されたとき、キャリア感知上での最小限のインパクトを確かにするために、パケットを送信することを通して使用されることができる。
【００３０】
[0035]  図３Ａ−３Ｂは、ことによると（possibly）、複数のワイヤレスデバイス間でのレンジングの精度を改善するために使用され得るいくつかの例となる随意的なアクションと共に例となる方法を描くフロー図を描く。方法３００は、たとえば、基地局（たとえば、図１において例示されるＡＰ１１０）および／またはユーザデバイス（たとえば、図１において例示されるモバイルデバイス１２０のうちの少なくとも１つ）によって、行われることができる。
【００３１】
[0036]  ブロック３１０において、ワイヤレスデバイスは、第１のパケットを備える一次部分シンボルを送信する。
【００３２】
[0037]  ブロック３２０において、ワイヤレスデバイスは、二次部分シンボルを送信する。二次部分シンボルは、一次部分シンボルと同時に、およびそれよりも低い送信電力で送信される。二次部分シンボルは、一次部分シンボルにおける第１のパケットの一時的な複製（a temporal duplicate）である第２のパケットを搬送する。
【００３３】
[0038]  随意に、（たとえば、ブロック３２０において）一次部分シンボルは、実質的に２０ＭＨＺの帯域幅を有する第１のチャネルにおいて送信されることができ、かつ二次部分シンボルは、実質的に２０ＭＨＺの帯域幅を有する第２のチャネルにおいて送信されることができる。第２のチャネルは、第１のチャネルに周波数が実質的に隣接する。
【００３４】
[0039]  随意に、（たとえば、ブロック３２０で）より高い送信電力とより低い送信電力との間の電力比は、固定的であるか、または適応的であることができる。適応的な電力スプリット（power split）は、複数のワイヤレスデバイスにおける第２のワイヤレスデバイスへの推定された送信距離、第２のワイヤレスデバイスへの既知の送信距離、第２のワイヤレスデバイスから受信された信号の測定された電力、またはそれらの何らかの組み合わせに少なくとも部分的に基づくことができる。
【００３５】
[0040]  随意的なブロック３３０において、一次部分シンボルを送信した後に、第１のワイヤレスデバイスは、高スループットロングトレーニングフィールドシンボルまたは超高スループットロングトレーニングフィールドシンボルを繰り返し送信することができる。高スループットロングトレーニングフィールドシンボルまたは超高スループットロングトレーニングフィールドシンボルは、一次部分を送るために使用されるより高い送信電力と二次部分を送るために使用されるより低い送信電力との間の電力比を維持しながら、送信されることができる。
【００３６】
[0041]  高スループットロングトレーニングフィールドシンボルまたは超高スループットロングトレーニングフィールドシンボルの繰り返しの数は、より高い送信電力とより低い送信電力との間の電力比の値、より高い送信電力とより低い送信電力とが組み合わされた電力、またはそれらの組み合わせに、少なくとも部分的に基づくことができる。たとえば、電力比がより高い（たとえば、第１の閾値よりも高い）場合、繰り返しの数は、比較的小さい（relatively lower）可能性がある。電力比が、より低い（たとえば、第１の閾値および／または第２の閾値よりも低い）場合、繰り返しの数は、比較的大きい（relatively higher）可能性がある。別の例において、繰り返しの数が、より高い送信電力とより低い送信電力とが組み合わされた電力に基づくとき、より高い送信電力とより低い送信電力とが組み合わされた電力がより高い（たとえば、第１の閾値よりも高い）場合、繰り返しの数は、比較的小さい可能性がある。さらに、より高い送信電力とより低い送信電力とが組み合わされた電力がより低い（たとえば、第１の閾値および／または第２の閾値よりも低い）場合、繰り返しの数は、比較的大きい可能性がある。
【００３７】
[0042]  随意的なブロック３４０において、第１のワイヤレスデバイスは、制御情報を送信する。制御情報は、繰り返された高スループットロングトレーニングフィールドシンボルまたは繰り返された超高スループットロングトレーニングフィールドシンボルの繰り返し係数、より高い送信電力とより低い送信電力との間の電力比、または両方を示す（indicate）ことができる。
【００３８】
[0043]  図４は、本明細書において教示されるような、複数の動作を行うように構成された（たとえば、それぞれ、ユーザデバイス、基地局、およびネットワークエンティティに対応する）装置４０２、装置４０４、および／または装置４０６に組み込まれることができる（対応するブロックによって表される）様々なサンプルコンポーネントを描く。
これらコンポーネントは、異なる複数のインプリメンテーションにおける異なる複数のタイプの装置において（たとえば、ＡＳＩＣにおいて、ｉＳｏＣにおいて等）インプリメントされることができる。描かれた複数のコンポーネントはまた、通信システムにおける他の複数の装置に組み込まれることができる。たとえば、システムにおける他の複数の装置は、同様の機能性を提供するために説明されるものと同様に複数のコンポーネントを含むことができる。また、所与の（given）装置は、それらコンポーネントの１つまたは複数を含むことができる。たとえば、装置は、その装置に、複数の搬送波上で動作すること、および／または異なる技術を介して通信することを可能にさせる、複数のトランシーバコンポーネントを含むことができる。
【００３９】
[0044]  装置４０２および装置４０４は、各々、少なくとも１つの指定された無線アクセス技術を介して他の複数のノードと通信するための、少なくとも１つの（通信デバイス４０８および４１４によって表される（および装置４０４が中継器の場合は、通信デバイス４２０））ワイヤレス通信デバイスを含む。各通信デバイス４０８は、信号（たとえば、メッセージ、インジケーション，情報および同類のもの）を送信および符号化するように構成された少なくとも１つの（送信機４１０によって表される）送信機、および信号を受信および復号するように構成された少なくとも１つの（受信機４１２によって表される）受信機を含む。同様に、各通信デバイス４１４は、信号を送信するように構成された少なくとも１つの（送信機４１６によって表される）送信機、および信号を受信するように構成された少なくとも１つの（受信機４１８によって表される）受信機を含む。装置４０４が中継局である場合、各通信デバイス４２０は、信号を送信するように構成された少なくとも１つの（送信機４２２によって表された）送信機および信号を受信するように構成された少なくとも１つの（受信機４２４によって表される）受信機を含むことができる。
【００４０】
[0045]  送信機および受信機は、いくつかのインプリメンテーションにおいて（たとえば、単一の通信デバイスの送信機回路および受信機回路として具現化された）統合されたデバイスを備えることができ、いくつかのインプリメンテーションにおいて別個の送信機デバイスおよび別個の受信機デバイスを備えることができ、または、他の複数のインプリメンテーションにおいて他のやり方で具現されることができる。
【００４１】
[0046]  装置４０６（およびそれが中継局でない場合、装置４０４）は、他の複数のノードと通信するための、少なくとも１つの（通信デバイス４２６および、随意に、４２０によって表される）通信デバイスを含む。たとえば、通信デバイス４２６は、ワイヤベースのまたはワイヤレスのバックホールを介して、１つまたは複数のネットワークエンティティと通信するように構成されたネットワークインタフェースを備えることができる。いくつかの態様において、通信デバイス４２６は、ワイヤベースのまたはワイヤレスの信号通信をサポートするように構成されたトランシーバとしてインプリメントされることができる。この通信は、たとえば、メッセージ、パラメータ、または他のタイプの情報を送ることおよび受信することに関与することができる。従って、図４の例において、通信デバイス４２６は、送信機４２８および受信機４３０を備えるように示される。同様に、装置４０４が中継局ではない場合、通信デバイス４２０は、ワイヤベースのまたはワイヤレスのバックホールを介して１つまたは複数のネットワークエンティティと通信するように構成されたネットワークインタフェースを備えることができる。通信デバイス４２６と同様に、通信デバイス４２０は、送信機４２２および受信機４２４を備えるように示される。
【００４２】
[0047]  装置４０２、４０４、および４０６はまた、本明細書において教示されるような動作とともに使用されることができる他の複数のコンポーネントを含む。装置４０２は、たとえば、本明細書において教示されるような、複数のワイヤレスデバイス間でのレンジングの精度を改善することをサポートするためのユーザデバイスの動作に関する機能性を提供するための、および他の処理の機能性を提供するための、処理システム４３２を含む。装置４０４は、たとえば、本明細書において教示されるような、複数のワイヤレスデバイス間でのレンジングの精度を改善することをサポートするための基地局の動作に関する機能性を提供するための、および他の処理の機能性を提供するための、処理システム４３４を含む。装置４０６は、たとえば、本明細書において教示されるような、複数のワイヤレスデバイス間でのレンジングの精度を改善することをサポートするためのネットワークの動作に関する機能性を提供するための、および他の処理の機能性を提供するための、処理システム４３６を含む。装置４０２、４０４、および４０６は、それぞれ、情報（たとえば、リザーブされたリソース、閾値、パラメータ等を示す（indicative of）情報）を維持するためにメモリコンポーネント４３８、４４０、および４４２（たとえば、各々は、メモリデバイスを含む）を含む。加えて、装置４０２、４０４、および４０６は、それぞれ、ユーザにインジケーション（たとえば、可聴式のおよび／または視覚のインジケーション）を提供するための、および／または（たとえば、キーパッド、タッチスクリーン、マイクロホン等のような検知デバイスのユーザ作動（user actuation）の際に）ユーザ入力を受信するためのユーザインタフェースデバイス４４４、４４６、および４４８を含む。
【００４３】
[0048]  便宜上、装置４０２、４０４、および／または４０６は、本明細書において説明される様々な例に従って構成されることができる様々なコンポーネントを含むように図４において示される。しかしながら、例示された複数のブロックが異なる複数の設計において異なる機能性を有することができることは理解されよう。
【００４４】
[0049]  図４のコンポーネントは、様々なやり方で、インプリメントされることができる。いくつかのインプリメンテーションにおいて、図４のコンポーネントは、たとえば、１つまたは複数のプロセッサおよび／または（１つまたは複数のプロセッサを含むことができる）１つまたは複数のＡＳＩＣのような、１つまたは複数の回路において、インプリメントされることができる。ここで、各回路は、この機能性を提供するために回路によって使用される実行コードまたは情報を記憶するための少なくとも１つのメモリコンポーネントを使用および／または組み込むことができる。たとえば、機能性のいくつかまたは全てによって表されるブロック４０８、４３２、４３８、および４４４は、装置４０２のメモリコンポーネント（単数または複数）およびプロセッサによって（たとえば、適切なコードの実行によって、および／またはプロセッサコンポーネントの適切な構成によって）インプリメントされることができる。同様に、ブロック４１４、４２０、４３４、４４０、および４４６によって表される機能性のいくつかまたは全ては、装置４０４のメモリコンポーネント（単数または複数）およびプロセッサによって（たとえば、適切なコードの実行によって、および／またはプロセッサコンポーネントの適切な構成によって）、インプリメントされることができる。また、ブロック４２６、４３６、４４２、および４４８によって表される機能性のいくつかまたは全ては、装置４０６のメモリコンポーネント（単数または複数）およびプロセッサによって（たとえば、適切なコードの実行によって、および／またはプロセッサコンポーネントの適切な構成によって）、インプリメントされることができる。
【００４５】
[0050]  図５は、一連の相互に関連する（interrelated）機能的モジュールとして表される例となる基地局装置５００を描く。第１のパケットを搬送する一次部分シンボルを送信するためのモジュール５０２は、少なくともいくつかの態様において、たとえば、本明細書において説明されるような、通信デバイスに対応することができる。二次部分シンボルを送信するためのモジュール５０４、ここで、二次部分シンボルは、一次部分シンボルよりも低い送信電力で同時に送信され、二次部分シンボルは、一次部分シンボルにおける第１のパケットの複製である第２のパケットを搬送する、は、少なくともいくつかの態様において、たとえば、本明細書において説明されるような、通信デバイスに対応することができる。一次部分シンボルを送信する際に使用されるより高い送信電力と二次部分シンボルを送信する際に使用されるより低い送信電力との間の電力比を維持しながら、一次部分シンボルを送信した後に、高スループットロングトレーニングフィールドシンボルまたは超高スループットロングトレーニングフィールドシンボルを繰り返し送信するためのモジュール５０６は、少なくともいくつかの態様において、たとえば、本明細書において説明されるような、通信デバイスに対応することができる。（１）繰り返された高スループットロングトレーニングフィールドシンボルまたは繰り返された超高スループットロングトレーニングフィールドシンボルの繰り返し係数、（２）より高い送信電力とより低い送信電力との間の電力比、または（３）両方、のうちの少なくとも１つについての制御情報を送信するためのモジュール５０８は、少なくともいくつかの態様において、たとえば、本明細書において説明されるような、通信デバイスに対応することができる。
【００４６】
[0051]  図６は、一連の相互に関連する機能的モジュールとして表される例となるユーザデバイス装置６００を描く。第１のパケットを搬送する一次部分シンボルを送信するためのモジュール６０２は、少なくともいくつかの態様において、たとえば、本明細書において説明されるような、通信デバイスに対応することができる。二次部分シンボルを送信するためのモジュール６０４、ここで、二次部分シンボルは、一次部分シンボルよりも低い送信電力で同時に送信され、二次部分シンボルは、一次部分シンボルにおける第１のパケットの複製である第２のパケットを搬送する、は、少なくともいくつかの態様において、たとえば、本明細書において説明されるような、通信デバイスに対応することができる。一次部分シンボルを送信する際に使用されるより高い送信電力と二次部分シンボルを送信する際に使用されるより低い送信電力との間の電力比を維持しながら、一次部分シンボルを送信した後に、高スループットロングトレーニングフィールドシンボルまたは超高スループットロングトレーニングフィールドシンボルを繰り返し送信するためのモジュール６０６は、少なくともいくつかの態様において、たとえば、本明細書において説明されるような、通信デバイスに対応することができる。（１）繰り返された高スループットロングトレーニングフィールドシンボルまたは繰り返された超高スループットロングトレーニングフィールドシンボルの繰り返し係数、（２）より高い送信電力とより低い送信電力との間の電力比、または（３）両方、のうちの少なくとも１つについての制御情報を送信するためのモジュール６０８は、少なくともいくつかの態様において、たとえば、本明細書において説明されるような、通信デバイスに対応することができる。
【００４７】
[0052]  図５〜６において描かれる複数のモジュールの機能性は、本明細書における教示と一致するやり方でインプリメントされることができる。いくつかの設計において、これらのモジュールの機能性は、１つまたは複数の電気的なコンポーネントとしてインプリメントされることができる。いくつかの設計において、これらのブロックの機能性は、１つまたは複数のプロセッサコンポーネントを含む処理システムとして、インプリメントされることができる。いくつかの設計において、これらのモジュールの機能性は、たとえば、１つまたは複数の集積回路（たとえば、特定用途向け集積回路（ＡＳＩＣ））のうちの少なくとも一部分を使用してインプリメントされることができる。本明細書において説明されるような、集積回路は、プロセッサ、ソフトウェア、他の複数の関連するコンポーネント、またはそれらの何らかの組み合わせを含むことができる。よって、異なる複数のモジュールの機能性は、たとえば、集積回路の異なる複数のサブセットとして、ソフトウェアモジュールのセットの異なる複数のサブセットとして、またはそれらの組み合わせとしてインプリメントされることができる。また、（たとえば、集積回路の、および／またはソフトウェアモジュールのセットの）所与のサブセットが、１つより多くのモジュールに関する機能性のうちの少なくとも一部分を提供することができることが理解されよう。
【００４８】
[0053]  加えて、本明細書において説明される他のコンポーネントおよび機能だけでなく、図５〜６によって表されるコンポーネントおよび機能も、任意の適した手段を使用することによって、インプリメントされることができる。そのような手段はまた、少なくとも部分的に、本明細書において教示されるような対応する構造を使用してインプリメントされることができる。たとえば、図５〜６の「〜のためのモジュール」というコンポーネントとともに上記で説明されるコンポーネントはまた、同様に指定された「〜ための手段」という機能性に対応することができる。従って、いくつかの態様において、そのような手段のうちの１つまたは複数は、本明細書において教示されるような、プロセッサコンポーネント、集積回路、または他の適した構造のうちの１つまたは複数を使用してインプリメントされることができる。
【００４９】
[0054]  本明細書において使用される場合、「例となる（exemplary）」という用語は、「例（example）、事例（instance）、または例示（illustration）としての役目を果たすこと」を意味する。「例となる」として説明されるいずれの例も、必ずしも、他の例よりも好ましいまたは有利であると解釈されるべきではない。同様に、「本発明の例」という用語は、全ての例が、説明される特徴、利点、あるいは動作のモードを含むことを必要としない。この明細書おける「一例において」、「例」、「１つの特徴において」、および／または「特徴」という用語の使用は、必ずしも、同じ特徴および／または例を言及しない。さらに、特定の特徴および／または構造は、１つまたは複数の他の特徴および／または構造と組み合わされることができる。その上、本明細書によって説明される装置のうちの少なくとも一部分は、本明細書によって説明される方法うちの少なくとも一部分を行うように構成されることができる。
【００５０】
[0055]  「第１の」、「第２の」、などのような指定を使用する本明細書における要素へのいずれの言及も、一般にはそれらの要素の量または順序を制限しないことが理解されるべきである。むしろ、これらの指定は、２つ以上の要素または要素の事例の間で区別する便利な方法として本明細書で使用されることができる。よって、第１および第２の要素への言及は、２つの要素のみがそこで用いられることができること、または第１の要素が、何らかの意味で、第２の要素に先行（precede）なければならないということを意味しない。また、そうではないと述べられていない限り、要素のセットは、１つまたは複数の要素を備えることができる。加えて、説明または特許請求の範囲において使用される、「Ａ、Ｂ、またはＣのうちの少なくとも１つ」あるいは「Ａ、Ｂ、またはＣのうちの１つまたは複数」あるいは「Ａ、Ｂ、およびＣから成るグループのうちの少なくとも１つ」という形態の専門用語は、「ＡまたはＢまたはＣあるいはこれらの要素の任意の組み合わせ」を意味する。たとえば、この専門用語は、Ａ、またはＢ、またはＣ、あるいはＡおよびＢ、またはＡおよびＣ、またはＡおよびＢおよびＣ、あるいは２Ａ、または２Ｂ、または２Ｃ、などを含むことができる。
【００５１】
[0056]  本明細書において使用される専門用語は、特定の複数の例のみを説明することを目的としており、制限的であるように意図するものではない。本明細書において使用される場合、文脈がそうではないと明確に示さない限り、単数形「ａ」、「ａｎ」、および「ｔｈｅ」は、複数形も含む。さらに、「を備える（comprises）」、「を備えること（comprising）」、「を含む（includes）」、および「を含むこと（including」という用語は、特徴、整数、ステップ、動作、要素、コンポーネントおよび同類のものの存在を特定するが、必ずしも別の特徴、整数、ステップ、動作、要素、コンポーネントおよび同類のものの存在や追加を除外（preclude）しない。
【００５２】
[0057]  上記の記述および説明を考慮して、当業者は、本明細書において開示される複数の態様に関連して説明される様々な例示的な論理ブロック、モジュール、回路、およびアルゴリズムステップが電子ハードウェア、コンピュータソフトウェア、または両方の組み合わせとしてインプリメントされることができることを認識するだろう。ハードウェアおよびソフトウェアのこの相互交換性を明確に例示するために、様々な例示的なコンポーネント、ブロック、モジュール、回路、およびステップが、上記に、一般に、それらの機能性の観点から説明されている。このような機能が、ハードウェアとしてインプリメントされるか、あるいはソフトウェアとしてインプリメントされるかは、特定の用途およびシステム全体に課せられる設計制約に依存する。当業者は、説明された機能性を、特定の用途ごとにさまざまな方法でインプリメントできるが、そのようなインプリメンテーションの決定（decisions）は、本開示の範囲からの逸脱を引き起こしていると解釈されるべきではない。
【００５３】
[0058]  一例は、（特殊用途プロセッサのような）プロセッサによって実行されるとき、プロセッサおよび任意の他の協調するデバイスを本明細書において説明される機能の少なくとも一部分を行うように構成された機械（たとえば、特殊用途プロセッサ）に変換する、プロセッサ実行可能命令を記憶する非一時的（すなわち、非常駐でない（a non-transient）機械読み取り可能媒体および／または非一時的（すなわち、非常駐でない）コンピュータ読み取り可能媒体を含むことができる。一例において、記憶された命令を実行することは、プロセッサおよび任意の他の協調するデバイスを本明細書において説明される装置の少なくとも一部分に変換することができる。非一時的（すなわち、非常駐でない）機械読み取り可能媒体は、特に一時的に（transitory）伝搬する信号を排除する。
【００５４】
[0059]  従って、たとえば、装置または装置の任意のコンポーネントが、本明細書において教示されるような機能性を提供するように構成される（または動作可能にされるまたは適応される）ことができることは理解されよう。これは、たとえば、それが、機能性を提供するように装置またはコンポーネントを製造すること（たとえば、組み立てること）によって、それが、機能性を提供するように装置またはコンポーネントをプログラミングすることによって、または、任意の他の適したインプリメンテーション技法の使用を通じて、達成されることができる。一例として、集積回路は、必須の機能性を提供するために、組み立てられることができる。さらに別の例として、集積回路は、必須の機能性をサポートするために組み立てられることができ、次いで、必須の機能性を提供するために（たとえば、プログラミングを介して）構成されることができる。さらに別の例として、プロセッサ回路は、必須の機能性を提供するためのコードを実行することができる。
【００５５】
[0060]  提供された複数の装置は、これらに限定されないが、モバイルデバイス、ナビゲーションデバイス（たとえば、全地球測位システムの受信機）、ワイヤレスデバイス、カメラ、オーディオプレーヤ、カムコーダ、またはゲームコンソールのうちの少なくとも１つのような、電子デバイスの一部分であることができ、および／またはそれに結合されることができる。
【００５６】
[0061]  「モバイルデバイス」という用語は、モバイル電話、モバイル通信デバイス、ペイジャ、携帯情報端末、個人情報マネージャ、個人データアシスタント、モバイルハンドヘルドコンピュータ、ポータブルコンピュータ、タブレットコンピュータ、ワイヤレスデバイス、ワイヤレスモデム、典型的に人によって運ばれ、かつ通信能力を有する（たとえば、ワイヤレス、セルラ、赤外線、短レンジ無線、等）他のタイプの携帯用電子デバイス、タブレットコンピュータ、および位置決定（a position fix）を決定する際に使用されるワイヤレス通信信号を受信することができる任意の他のデバイスのうちの少なくとも１つを記述することができ、かつそれらに限定されない。さらに、「ユーザ機器」（ＵＥ）、「モバイル端末」、「ユーザデバイス」、「モバイルデバイス」、および「ワイヤレスデバイス」という用語は、取り替え可能で（interchangeable）あることができる。
【００５７】
[0062]  その上、本明細書において開示された複数の態様と関連して説明される複数の方法、シーケンス、および／またはアルゴリズムは、ハードウェアにおいて、プロセッサによって実行されるソフトウェアモジュールにおいて、またはこれら２つの組み合わせにおいて、直接に具現化されることができる。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当該技術において知られる任意の他の形態の記憶媒体において存在することができる。例となる記憶媒体は、プロセッサが情報をその記憶媒体から読み取り、および、それへ情報を書き込むことができるように、プロセッサに結合される。代替において、記憶媒体は、プロセッサ（たとえば、キャッシュメモリ）に統合されることができる。
【００５８】
[0063]  従って、たとえば、本開示のある特定の複数の態様は、複数のワイヤレスデバイス間でのレンジングの精度を改善するための方法を具現化するコンピュータ読み取り可能媒体を含むことができることもまた、理解されよう。
【００５９】
[0064]  この出願において描かれた、述べられまたは例示されたいずれも、いずれのコンポーネント、ステップ、特徴、目的、利益、利点、または等価のものを、そのコンポーネント、ステップ、特徴、目的、利益、利点、または、等価のものが特許請求の範囲において記載されているかに関わらず、公に捧げるようには意図されない。
【００６０】
[0065]  前述の開示が様々な例示的な複数の態様を示す一方で、添付の特許請求の範囲によって定義された範囲から逸脱することなく、例示された複数の例に様々な変更および修正がなされることができることに留意されたい。本開示は、ただ特に例示された複数の例だけに限定されるようには意図されない。たとえば、そうではないと言及されない限り、本明細書において説明される本開示の複数の態様に従った方法の請求項の機能、ステップ、および／またはアクションは、どのような特定の順序でも行われる必要はない。さらに、ある特定の複数の態様は、単数形で説明されるかまたは請求されることができるが、単数形への限定が明示的に述べられていない限り、複数形が考えられる。
【図１】
2018507599.tif 000004
【図２】
2018507599.tif 000005
【図３Ａ】
2018507599.tif 000006
【図３Ｂ】
2018507599.tif 000007
【図４】
2018507599.tif 000008
【図５】
2018507599.tif 000009
【図６】
2018507599.tif 000010
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
複数のワイヤレスデバイス間でレンジングするための方法であって、前記複数のワイヤレスデバイスにおける第１のワイヤレスデバイスで、
第１のチャネル上での送信のための第１の送信電力、および第２のチャネル上での送信のための、前記第１の送信電力よりも低い第２の送信電力を選ぶことと、
第１のパケットを備える一次部分シンボルを、前記第１の送信電力に従った前記第１のチャネル上で、送信することと、
二次部分シンボルを、前記第２の送信電力に従った前記第２のチャネル上で、送信すること、ここにおいて、前記二次部分シンボルは、前記一次部分シンボルと同時に送信され、前記二次部分シンボルは、前記第１のパケットの複製である第２のパケットを備える、と、
を備える、方法。
【請求項２】
前記第１および第２のチャネルは、各々２０ＭＨＺの帯域幅を有し、前記第２のチャネルは、前記第１のチャネルに周波数が実質的に隣接する、請求項１に記載の方法。
【請求項３】
前記第１および第２の送信電力間の電力比は、
固定的、または
前記複数のワイヤレスデバイスにおける第２のワイヤレスデバイスへの推定された送信距離、
前記第２のワイヤレスデバイスへの既知の送信距離、
前記第２のワイヤレスデバイスから受信された信号の測定された電力、または
それらの何らかの組み合わせ、
に少なくとも部分的に基づいて
適応的である、請求項１に記載の方法。
【請求項４】
前記第１のワイヤレスデバイスで、前記第１および第２の送信電力間の電力比を維持しながら、高スループットロングトレーニングフィールドシンボルまたは超高スループットロングトレーニングフィールドシンボルを繰り返し送信することをさらに備える、請求項１に記載の方法。
【請求項５】
前記高スループットロングトレーニングフィールドシンボルまたは前記超高スループットロングトレーニングフィールドシンボルの繰り返しの数は、
前記電力比、
前記より高い送信電力と前記より低い送信電力とが組み合わされた電力、または
それらの組み合わせ、
に少なくとも部分的に基づく、請求項４に記載の方法。
【請求項６】
前記第１のワイヤレスデバイスで、
前記繰り返された高スループットロングトレーニングフィールドシンボルまたは前記繰り返された超高スループットロングトレーニングフィールドシンボルの繰り返し係数、
前記電力比、または
両方、
を示す制御情報を送信すること
をさらに備える、請求項４に記載の方法。
【請求項７】
複数のワイヤレスデバイス間でレンジングする際に使用するための装置であって、
第１のチャネル上での送信のための第１の送信電力、および第２のチャネル上での送信のための、前記第１の送信電力よりも低い第２の送信電力を選ぶための手段と、
前記第１の送信電力に従った前記第１のチャネル上で、第１のパケットを備える一次部分シンボルを送信するための手段と、
前記第２の送信電力に従った前記第２のチャネル上で、二次部分シンボルを送信するための手段、ここにおいて、前記二次部分シンボルは、前記一次部分シンボルと同時に送信され、前記二次部分シンボルは、前記第１のパケットの複製である第２のパケットを備える、と、
を備える、装置。
【請求項８】
前記第１および第２のチャネルは、各々２０ＭＨＺの帯域幅を有し、前記第２のチャネルは、前記第１のチャネルに周波数が実質的に隣接する、請求項７に記載の装置。
【請求項９】
前記第１および第２の送信電力間の電力比は、
固定的、または
第２のワイヤレスデバイスへの推定された送信距離、
前記第２のワイヤレスデバイスへの既知の送信距離、
前記第２のワイヤレスデバイスから受信された信号の測定された電力、または
それらの何らかの組み合わせ、
に少なくとも部分的に基づいて
適応的である、請求項７に記載の装置。
【請求項１０】
前記第１および第２の送信電力間の電力比を維持しながら、高スループットロングトレーニングフィールドシンボルまたは超高スループットロングトレーニングフィールドシンボルを繰り返し送信するための手段、をさらに備える、請求項７に記載の装置。
【請求項１１】
前記高スループットロングトレーニングフィールドシンボルまたは前記超高スループットロングトレーニングフィールドシンボルの繰り返しの数は、
前記電力比、
前記より高い送信電力と前記より低い送信電力とが組み合わされた電力、または
それらの組み合わせ、
に少なくとも部分的に基づく、請求項１０に記載の装置。
【請求項１２】
前記繰り返された高スループットロングトレーニングフィールドシンボルまたは前記繰り返された超高スループットロングトレーニングフィールドシンボルの繰り返し係数、
前記電力比、または
両方、
を示す制御情報を送信するための手段
をさらに備える、請求項１０に記載の装置。
【請求項１３】
前記一次部分シンボルを前記送信するための手段の少なくとも一部分は、半導体のダイ上に統合される、請求項７に記載の装置。
【請求項１４】
前記装置は、モバイルデバイスの少なくとも一部分である、請求項７に記載の装置。
【請求項１５】
複数のワイヤレスデバイス間でのレンジングの精度を改善するように構成された装置であって、
通信デバイスと、
前記通信デバイスに結合され、
第１のチャネル上での送信のための第１の送信電力、および第２のチャネル上での送信のための、前記第１の送信電力よりも低い第２の送信電力を選ぶことと、
第１のパケットを搬送する一次部分シンボルの、前記第１の送信電力に従った前記第１のチャネル上での前記通信デバイスを介した送信を開始することと、
二次部分シンボルの、前記第２の送信電力に従った前記第２のチャネル上での前記通信デバイスを介した送信を開始すること、ここにおいて、前記二次部分シンボルは、前記一次部分シンボルと同時に送信され、前記二次部分シンボルは、前記第１のパケットの複製である第２のパケットを備える、と、
を行うように構成されたプロセッサと、
を備える、装置。
【請求項１６】
前記第１および第２のチャネルは、各々２０ＭＨＺの帯域幅を有し、前記第２のチャネルは、前記第１のチャネルに周波数が実質的に隣接する、請求項１５に記載の装置。
【請求項１７】
前記第１および第２の送信電力間の電力比は、
固定的、または
第２のワイヤレスデバイスへの推定された送信距離、
前記第２のワイヤレスデバイスへの既知の送信距離、
前記第２のワイヤレスデバイスから受信された信号の測定された電力、または
それらの何らかの組み合わせ、
に少なくとも部分的に基づいて
適応的である、請求項１５に記載の装置。
【請求項１８】
前記プロセッサは、前記第１および第２の送信電力間の電力比を維持しながら、高スループットロングトレーニングフィールドシンボルまたは超高スループットロングトレーニングフィールドシンボルの繰り返しの、前記通信デバイスを介した送信を開始するようにさらに構成される、請求項１５に記載の装置。
【請求項１９】
前記高スループットロングトレーニングフィールドシンボルまたは前記超高スループットロングトレーニングフィールドシンボルの繰り返しの数は、
前記電力比、
前記より高い送信電力と前記より低い送信電力とが組み合わされた電力、または
それらの組み合わせ、
のうちの少なくとも１つに基づく、請求項１８に記載の装置。
【請求項２０】
前記プロセッサは、
前記繰り返された高スループットロングトレーニングフィールドシンボルまたは前記繰り返された超高スループットロングトレーニングフィールドシンボルの繰り返し係数、
前記電力比、または
両方、
を示す制御情報の、前記通信デバイスを介した送信を開始すること
を行うようにさらに構成される、請求項１８に記載の装置。
【請求項２１】
前記プロセッサのうちの少なくとも一部分および前記通信デバイスのうちの少なくとも一部分は、共通の半導体のダイ上で統合される、請求項１５に記載の装置。
【請求項２２】
前記装置は、モバイルデバイスの少なくとも一部分である、請求項１５に記載の装置。
【請求項２３】
コンピュータ読み取り可能媒体であって、
第１のチャネル上での送信のための第１の送信電力、および第２のチャネル上での送信のための、前記第１の送信電力よりも低い第２の送信電力を選ぶことと、
第１のパケットを搬送する一次部分シンボルの、前記第１の送信電力に従った前記第１のチャネル上での送信を開始することと、
二次部分シンボルの、前記第２の送信電力に従った前記第２のチャネル上での送信を開始すること、ここにおいて、前記二次部分シンボルは、前記一次部分シンボルと同時に送信され、前記二次部分シンボルは、前記第１のパケットの複製である第２のパケットを備える、と、
を、プロセッサによって実行可能な、プロセッサ実行可能命令を記憶する、コンピュータ読み取り可能媒体。
【請求項２４】
前記第１および第２のチャネルは、各々２０ＭＨＺの帯域幅を有し、前記第２のチャネルは、前記第１のチャネルに周波数が実質的に隣接する、請求項２３に記載のコンピュータ読み取り可能媒体。
【請求項２５】
前記第１および第２の送信電力間の電力比は、
固定的、または
第２のワイヤレスデバイスへの推定された送信距離、
前記第２のワイヤレスデバイスへの既知の送信距離、
前記第２のワイヤレスデバイスから受信された信号の測定された電力、または
それらの何らかの組み合わせ、
に部分的に基づいて
適応的である、請求項２３に記載のコンピュータ読み取り可能媒体。
【請求項２６】
前記プロセッサ実行可能命令は、前記第１および第２の送信電力間の電力比を維持しながら、高スループットロングトレーニングフィールドシンボルまたは超高スループットロングトレーニングフィールドシンボルを繰り返し送信することを開始すること、を前記プロセッサによって、さらに実行可能である、請求項２３に記載のコンピュータ読み取り可能媒体。
【請求項２７】
前記高スループットロングトレーニングフィールドシンボルまたは前記超高スループットロングトレーニングフィールドシンボルの繰り返しの数は、
前記電力比、
前記より高い送信電力と前記より低い送信電力とが組み合わされた電力、または
それらの組み合わせ、
のうちの少なくとも１つに基づく、請求項２６に記載のコンピュータ読み取り可能媒体。
【請求項２８】
前記プロセッサ実行可能命令は、
前記繰り返された高スループットロングトレーニングフィールドシンボルまたは前記繰り返された超高スループットロングトレーニングフィールドシンボルの繰り返し係数、
前記電力比、または
両方、
を示す制御情報の送信を開始すること
を、前記プロセッサによって、さらに実行可能である、請求項２６に記載のコンピュータ読み取り可能媒体。
【請求項２９】
前記第１および第２の送信電力の総和が前記第１のチャネル上で前記一次部分シンボルを送信するために使用された場合、前記第１および第２の送信電力は、達成可能である見込みのある最大の通信レンジに実質的に等しい、前記第１のチャネル上での前記一次部分シンボルの送信のための前記複数のワイヤレスデバイスにおける他のワイヤレスデバイスのうちの１つまたは複数と前記第１のワイヤレスデバイスとの間の最大の通信レンジを維持するように構成された電力比に基づいて、決定される、請求項１に記載の方法。
【手続補正２】
【補正対象書類名】明細書
【補正対象項目名】００６０
【補正方法】変更
【補正の内容】
【００６０】
[0065]  前述の開示が様々な例示的な複数の態様を示す一方で、添付の特許請求の範囲によって定義された範囲から逸脱することなく、例示された複数の例に様々な変更および修正がなされることができることに留意されたい。本開示は、ただ特に例示された複数の例だけに限定されるようには意図されない。たとえば、そうではないと言及されない限り、本明細書において説明される本開示の複数の態様に従った方法の請求項の機能、ステップ、および／またはアクションは、どのような特定の順序でも行われる必要はない。さらに、ある特定の複数の態様は、単数形で説明されるかまたは請求されることができるが、単数形への限定が明示的に述べられていない限り、複数形が考えられる。
以下に本願の出願当初の特許請求の範囲に記載された発明を付記する。
［C１］
複数のワイヤレスデバイス間でレンジングするための方法であって、前記複数のワイヤレスデバイスにおける第１のワイヤレスデバイスで、
第１のパケットを備える一次部分シンボルを送信することと、
二次部分シンボルを送信すること、ここにおいて、前記二次部分シンボルは、前記一次部分シンボルよりも低い送信電力で同時に送信され、前記二次部分シンボルは、前記第１のパケットの複製である第２のパケットを備える、と、
を備える、方法。
［C２］
前記第１のワイヤレスデバイスで、
実質的に２０ＭＨＺの帯域幅を有する第１のチャネルにおいて前記一次部分シンボルを送信することと、
実質的に２０ＭＨＺの帯域幅を有する第２のチャネルにおいて前記二次部分シンボルを送信すること、ここにおいて、前記第２のチャネルは、前記第１のチャネルに周波数が実質的に隣接する、と、
をさらに備える、C１に記載の方法。
［C３］
前記一次部分シンボルを送信する際に使用されるより高い送信電力と前記二次部分シンボルを送信する際に使用される前記より低い送信電力との間の電力比は、
固定的、または
前記複数のワイヤレスデバイスにおける第２のワイヤレスデバイスへの推定された送信距離、
前記第２のワイヤレスデバイスへの既知の送信距離、
前記第２のワイヤレスデバイスから受信された信号の測定された電力、または
それらの何らかの組み合わせ、
に少なくとも部分的に基づいて
適応的である、C１に記載の方法。
［C４］
前記第１のワイヤレスデバイスで、前記一次部分シンボルを送信する際に使用される前記より高い送信電力と前記二次部分シンボルを送信する際に使用される前記より低い送信電力との間の電力比を維持しながら、高スループットロングトレーニングフィールドシンボルまたは超高スループットロングトレーニングフィールドシンボルを繰り返し送信することをさらに備える、C１に記載の方法。
［C５］
前記高スループットロングトレーニングフィールドシンボルまたは前記超高スループットロングトレーニングフィールドシンボルの繰り返しの数は、
前記電力比、
前記より高い送信電力と前記より低い送信電力とが組み合わされた電力、または
それらの組み合わせ、
に少なくとも部分的に基づく、C４に記載の方法。
［C６］
前記第１のワイヤレスデバイスで、
前記繰り返された高スループットロングトレーニングフィールドシンボルまたは前記繰り返された超高スループットロングトレーニングフィールドシンボルの繰り返し係数、
前記一次部分シンボルを送信する際に使用されるより高い送信電力と前記二次部分シンボルを送信する際に使用される前記より低い送信電力との間の前記電力比、または
両方、
を示す制御情報を送信すること
をさらに備える、C４に記載の方法。
［C７］
複数のワイヤレスデバイス間でレンジングする際に使用するための装置であって、
第１のパケットを備える一次部分シンボルを送信するための手段と、
二次部分シンボルを送信するための手段、ここにおいて、前記二次部分シンボルは、前記一次部分シンボルよりも低い送信電力で同時に送信され、前記二次部分シンボルは、前記第１のパケットの複製である第２のパケットを備える、と、
を備える、装置。
［C８］
実質的に２０ＭＨＺの帯域幅を有する第１のチャネルにおいて前記一次部分シンボルを送信するための手段と、
実質的に２０ＭＨＺの帯域幅を有する第２のチャネルにおいて前記二次部分シンボルを送信するための手段、ここにおいて、前記第２のチャネルは、前記第１のチャネルに周波数が実質的に隣接する、と、
をさらに備える、C７に記載の装置。
［C９］
前記一次部分シンボルを送信する際に使用されるより高い送信電力と前記二次部分シンボルを送信する際に使用される前記より低い送信電力との間の電力比は、
固定的、または
第２のワイヤレスデバイスへの推定された送信距離、
前記第２のワイヤレスデバイスへの既知の送信距離、
前記第２のワイヤレスデバイスから受信された信号の測定された電力、または
それらの何らかの組み合わせ、
に少なくとも部分的に基づいて
適応的である、C７に記載の装置。
［C１０］
前記一次部分シンボルを送信する際に使用されるより高い送信電力と前記二次部分シンボルを送信する際に使用される前記より低い送信電力との間の電力比を維持しながら、高スループットロングトレーニングフィールドシンボルまたは超高スループットロングトレーニングフィールドシンボルを繰り返し送信するための手段、をさらに備える、C７に記載の装置。
［C１１］
前記高スループットロングトレーニングフィールドシンボルまたは前記超高スループットロングトレーニングフィールドシンボルの繰り返しの数は、
前記電力比、
前記より高い送信電力と前記より低い送信電力とが組み合わされた電力、または
それらの組み合わせ、
に少なくとも部分的に基づく、C１０に記載の装置。
［C１２］
前記繰り返された高スループットロングトレーニングフィールドシンボルまたは前記繰り返された超高スループットロングトレーニングフィールドシンボルの繰り返し係数、
前記より高い送信電力と前記より低い送信電力との間の前記電力比、または
両方、
を示す制御情報を送信するための手段
をさらに備える、C１０に記載の装置。
［C１３］
前記一次部分シンボルを前記送信するための手段の少なくとも一部分は、半導体のダイ上に統合される、C７に記載の装置。
［C１４］
前記装置は、モバイルデバイスの少なくとも一部分である、C７に記載の装置。
［C１５］
複数のワイヤレスデバイス間でのレンジングの精度を改善するように構成された装置であって、
通信デバイスと、
前記通信デバイスに結合され、
第１のパケットを搬送する一次部分シンボルの、前記通信デバイスを介した送信を開始することと、
二次部分シンボルの、前記通信デバイスを介した送信を開始すること、ここにおいて、前記二次部分シンボルは、前記一次部分シンボルよりも低い送信電力で同時に送信され、前記二次部分シンボルは、前記第１のパケットの複製である第２のパケットを備える、と、
を行うように構成されたプロセッサと、
を備える、装置。
［C１６］
前記プロセッサは、
実質的に２０ＭＨＺの帯域幅を有する第１のチャネルにおいて前記一次部分シンボルの、前記通信デバイスを介した送信を開始することと、
実質的に２０ＭＨＺの帯域幅を有する第２のチャネルにおいて前記二次部分シンボルの、前記通信デバイスを介した送信を開始すること、ここにおいて、前記第２のチャネルは、前記第１のチャネルに周波数が実質的に隣接する、と、
を行うようにさらに構成される、C１５に記載の装置。
［C１７］
前記一次部分シンボルを送信する際に使用されるより高い送信電力と前記より低い送信電力との間の電力比は、
固定的、または
第２のワイヤレスデバイスへの推定された送信距離、
前記第２のワイヤレスデバイスへの既知の送信距離、
前記第２のワイヤレスデバイスから受信された信号の測定された電力、または
それらの何らかの組み合わせ、
に少なくとも部分的に基づいて
適応的である、C１５に記載の装置。
［C１８］
前記プロセッサは、前記一次部分シンボルを送信する際に使用されるより高い送信電力と前記二次部分シンボルを送信する際に使用される前記より低い送信電力との間の電力比を維持しながら、高スループットロングトレーニングフィールドシンボルまたは超高スループットロングトレーニングフィールドシンボルの繰り返しの、前記通信デバイスを介した送信を開始するようにさらに構成される、C１５に記載の装置。
［C１９］
前記高スループットロングトレーニングフィールドシンボルまたは前記超高スループットロングトレーニングフィールドシンボルの繰り返しの数は、
前記電力比、
前記より高い送信電力と前記より低い送信電力とが組み合わされた電力、または
それらの組み合わせ、
のうちの少なくとも１つに基づく、C１８に記載の装置。
［C２０］
前記プロセッサは、
前記繰り返された高スループットロングトレーニングフィールドシンボルまたは前記繰り返された超高スループットロングトレーニングフィールドシンボルの繰り返し係数、
前記より高い送信電力と前記より低い送信電力との間の前記電力比、または
両方、
を示す制御情報の、前記通信デバイスを介した送信を開始すること
を行うようにさらに構成される、C１８に記載の装置。
［C２１］
前記プロセッサのうちの少なくとも一部分および前記通信デバイスのうちの少なくとも一部分は、共通の半導体のダイ上で統合される、C１５に記載の装置。
［C２２］
前記装置は、モバイルデバイスの少なくとも一部分である、C１５に記載の装置。
［C２３］
複数のワイヤレスデバイス間でのレンジングの精度を改善するための製品であって、前記製品は、
第１のパケットを搬送する一次部分シンボルの送信を開始することと、
二次部分シンボルの送信を開始すること、ここにおいて、前記二次部分シンボルは、前記一次部分シンボルよりも低い送信電力で同時に送信され、前記二次部分シンボルは、前記第１のパケットの複製である第２のパケットを備える、と、
を、プロセッサによって実行可能な、プロセッサ実行可能命令を記憶する非一時的コンピュータ読み取り可能媒体、
を備える、製品。
［C２４］
前記プロセッサ実行可能命令は、
実質的に２０ＭＨＺの帯域幅を有する第１のチャネルにおいて前記一次部分シンボルの送信を開始することと、
実質的に２０ＭＨＺの帯域幅を有する第２のチャネルにおいて前記二次部分シンボルの送信を開始すること、ここにおいて、前記第２のチャネルは、前記第１のチャネルに周波数が実質的に隣接する、と、
を前記プロセッサによって、さらに実行可能である、C２３に記載の製品。
［C２５］
前記一次部分シンボルを送信する際に使用されるより高い送信電力と前記より低い送信電力との間の電力比は、
固定的、または
第２のワイヤレスデバイスへの推定された送信距離、
前記第２のワイヤレスデバイスへの既知の送信距離、
前記第２のワイヤレスデバイスから受信された信号の測定された電力、または
それらの何らかの組み合わせ、
に部分的に基づいて
適応的である、C２３に記載の製品。
［C２６］
前記プロセッサ実行可能命令は、前記一次部分シンボルを送信する際に使用されるより高い送信電力と前記二次部分シンボルを送信する際に使用される前記より低い送信電力との間の電力比を維持しながら、高スループットロングトレーニングフィールドシンボルまたは超高スループットロングトレーニングフィールドシンボルを繰り返し送信することを開始すること、を前記プロセッサによって、さらに実行可能である、C２３に記載の製品。
［C２７］
前記高スループットロングトレーニングフィールドシンボルまたは前記超高スループットロングトレーニングフィールドシンボルの繰り返しの数は、
前記電力比、
前記より高い送信電力と前記より低い送信電力とが組み合わされた電力、または
それらの組み合わせ、
のうちの少なくとも１つに基づく、C２６に記載の製品。
［C２８］
前記プロセッサ実行可能命令は、
前記繰り返された高スループットロングトレーニングフィールドシンボルまたは前記繰り返された超高スループットロングトレーニングフィールドシンボルの繰り返し係数、
前記より高い送信電力と前記より低い送信電力との間の前記電力比、または
両方、
を示す制御情報の送信を開始すること
を、前記プロセッサによって、さらに実行可能である、C２６に記載の製品。
【国際調査報告】
2018507599.tif 000011
2018507599.tif 000012